(57)【要約】【課題】  背もたれ部内に施療ユニットを上下動自在に備える椅子式マッサージ機において、背もたれ部の外観をシャープにし、且つ背もたれ部の厚みも極力薄く設けて椅子全体を小型化する。【解決手段】  施療手段を有する施療ユニット８を背もたれ部２内に上下動自在に備える椅子式マッサージ機において、背もたれ部２の背面側を覆う屈曲自在な背面カバー１５と、背面カバー１５の内面に上下に跨って設けられるカバー側係合部１６と、施療ユニット８の上下端に設けられてカバー側係合部１６が上下動自在に係合するユニット側係合部１３とを具備したものとする。【選択図】図１
2008154877.tif 000002
【特許請求の範囲】
【請求項１】
施療手段を有する施療ユニットを背もたれ部内に上下動自在に備える椅子式マッサージ機において、背もたれ部の背面側を覆う屈曲自在な背面カバーと、背面カバーの内面に上下に跨って設けられるカバー側係合部と、施療ユニットの上下端に設けられてカバー側係合部が上下動自在に係合するユニット側係合部とを具備したことを特徴とする椅子式マッサージ機。
【請求項２】
背面カバーを施療ユニット側に付勢する付勢手段を具備したことを特徴とする請求項１に記載の椅子式マッサージ機。
【請求項３】
上記付勢手段は、背面カバーの両側に設置されるバネ部材であることを特徴とする請求項２に記載の椅子式マッサージ機。
【請求項４】
上記カバー側係合部は、上下方向を軸方向とする帯状のガイド部であり、上記ユニット側係合部は、帯状のガイド部を両側から上下動自在に挟む一対のフック部であることを特徴とする請求項１〜３のいずれか一項に記載の椅子式マッサージ機。
【請求項５】
上記ユニット側係合部が、上下に回動自在なローラ部材から成ることを特徴とする請求項１〜４のいずれか一項に記載の椅子式マッサージ機。
【請求項６】
上記カバー側係合部と上記ユニット側係合部の接触面に、互いに逆の凹凸形状を設けて移動自在に嵌合させたことを特徴とする請求項１〜５のいずれか一項に記載の椅子式マッサージ機。 
【発明の詳細な説明】
【技術分野】
【０００１】
本発明は、背もたれ部内に施療ユニットを上下動自在に備える椅子式マッサージ機に関するものである。
【背景技術】
【０００２】
施療手段を有する施療ユニットを背もたれ部内に上下動自在に備える椅子式マッサージ機においては、施療ユニットの損傷を防止するとともに、施療ユニットと背もたれ部との間での人体の挟み込みを防止するために、背もたれ部の背面側を保護用の背面カバーで覆うことが要求される。
【０００３】
図１０（ａ）には、特許文献１に開示されるように背面カバーとして布地カバー３０を設けた従来例を示しており、図１０（ｂ）には、背面カバーとして硬質の成形カバー４０を設けた従来例を示している。前者の布地カバー３０を備えた場合、布地カバー３０と施療ユニット８との間には該施療ユニット８が円滑に上下動するための余裕を持たせる必要があり、布地カバー３０が垂れ下がるために椅子としてシャープな外観を与えることができない。また、布地カバー３０を含む背もたれ部２全体が施療ユニット８の厚さ方向（即ち椅子の前後方向）に大きくなって椅子が大型化してしまう。
【０００４】
これに対して後者の成形カバー４０を備えた場合には、前者の場合に比して外観はシャープになる。しかし、施療ユニット８が上下動する可動域の全てにスペースを設ける必要があるため、成形カバー４０を含む背もたれ部２全体は施療ユニット８の厚さ方向に大きくなり、やはり椅子が大型化するという問題がある。
【特許文献１】特許第３６８２５６０号公報
【発明の開示】
【発明が解決しようとする課題】
【０００５】
本発明は上記問題点に鑑みて発明したものであり、背もたれ部内に施療ユニットを上下動自在に備える椅子式マッサージ機において、背もたれ部の外観をシャープにし、且つ背もたれ部の厚みも極力薄く設けて椅子全体を小型化することを課題とするものである。
【課題を解決するための手段】
【０００６】
上記課題を解決するために本発明を、施療手段を有する施療ユニット８を背もたれ部２内に上下動自在に備える椅子式マッサージ機において、背もたれ部２の背面側を覆う屈曲自在な背面カバー１５と、背面カバー１５の内面に上下に跨って設けられるカバー側係合部１６と、施療ユニット８の上下端に設けられてカバー側係合部１６が上下動自在に係合するユニット側係合部１３とを具備したものとする。上記構成とすることで、施療ユニット８の後部だけが背もたれ部２から後方に突出するように背面カバー１５を該施療ユニット８の外形に沿って変形させることができ、しかも、施療ユニット８が上下動してもこれに追従して背面カバー１５も変形することとなる。これにより、背もたれ部２の外観をシャープにし、且つ背もたれ部２の施療ユニット８が位置しない部分の厚みは極力薄く設けて椅子全体を小型化することが可能となる。
【０００７】
また、上記構成の椅子式マッサージ機にあっては、背面カバー１５を施療ユニット８側に付勢する付勢手段を具備することが好適である。このようにすることで、背面カバー１５の形状は施療ユニット８の上下動に素早く追従して変形する。また、背もたれ部２の施療ユニット８が位置しない部分は付勢力により安定した形状に保持される。
【０００８】
また上記付勢手段は、背面カバー１５の両側部に設置されるバネ部材１８であることが好適である。このようにすることで、付勢手段を省スペースで設置することができ、また背面カバー１５の両側部にバネ部材１８があることで、使用者が不用意に施療ユニット８等の可動部分に触れることが防止され、安全性が確保される。
【０００９】
また上記カバー側係合部１６は、上下方向を軸方向とする帯状のガイド部１７であり、上記ユニット側係合部１３は、帯状のガイド部１７を両側から上下動自在に挟む一対のフック部１４であることが好適である。このようにすることで、ガイド部１７とフック部１４とが円滑に上下動しながら係合するとともに、ガイド部１７とフック部１４との係合部分は外部から触れ難くなるので安全性が向上する。
【００１０】
また上記ユニット側係合部１３が、上下に回動自在なローラ部材２１から成ることも好適である。このようにすることで、施療ユニット８の上下動が更に円滑になるとともに、ユニット側係合部１３及びカバー側係合部１６の磨耗等が低減して耐久性が向上し、また上下動作音が低減する。
【００１１】
また上記カバー側係合部１６と上記ユニット側係合部１３の接触面に、互いに逆の凹凸形状を設けて移動自在に嵌合させることも好適である。このようにすることで、背面カバー１５に対して外部から強い力が働いた場合に該背面カバー１５が不用意に外れるといった事態が更に確実に防止される。即ち、例えば子供が背面カバー１５を引っ張る等の行為をしても、背面カバー１５は安定してシャープな外観を保持することができる。
【００１２】
なお、以上述べた各構成は、本発明の趣旨を逸脱しない限り適宜組合せ可能である。
【発明の効果】
【００１３】
請求項１に係る発明は、背もたれ部内に施療ユニットを上下動自在に備える椅子式マッサージ機において、背もたれ部の外観をシャープにし、且つ背もたれ部の厚みも極力薄く設けて椅子全体を小型化することができるという効果を奏する。
【００１４】
また請求項２に係る発明は、請求項１に係る発明の効果に加えて、背面カバーの形状が施療ユニットの上下動に素早く追従して変形するという効果や、背もたれ部の施療ユニットが位置しない部分が付勢力により安定した形状に保持されるという効果を奏する。
【００１５】
また請求項３に係る発明は、請求項２に係る発明の効果に加えて、付勢手段を省スペースで設置することができるという効果や、背面カバーの両側部にバネ部材があることで、使用者が不用意に施療ユニット等の可動部分に触れることが防止され、安全性が確保されるという効果を奏する。
【００１６】
また請求項４に係る発明は、請求項１〜３のいずれか一項に係る発明の効果に加えて、ガイド部とフック部とが円滑に上下動しながら係合するという効果や、ガイド部とフック部との係合部分が外部から触れ難くなるので安全性が向上するという効果を奏する。
【００１７】
また請求項５に係る発明は、請求項１〜４のいずれか一項に係る発明の効果に加えて、施療ユニットの上下動が更に円滑になるという効果や、ユニット側係合部及びカバー側係合部の磨耗等が低減して耐久性が向上するという効果や、上下動作音が低減するという効果を奏する。
【００１８】
また請求項６に係る発明は、請求項１〜５のいずれか一項に係る発明の効果に加えて、例えば子供が背面カバーを引っ張る等の行為をしても、背面カバーは安定してシャープな外観を保持することができるという効果を奏する。
【発明を実施するための最良の形態】
【００１９】
以下、本発明を添付図面に示す実施形態に基づいて説明する。図１や図２には、本発明の実施形態における一例の椅子式マッサージ機の全体を示している。本例の椅子式マッサージ機は、被施療者が着座する座部１と、座部１の後方に設置される背もたれ部２と、座部１の前方に位置する脚載部３とで主体を成すものである。なお、本文中に用いる前後、左右、上下等の各方向は、座部１に着座状態にある被施療者から見た方向を基準とする。
【００２０】
背もたれ部２には、該背もたれ部２の上下面及び両側面を覆う矩形枠状の外枠カバー４が備えてあり、この外枠カバー４内に、上下方向に伸びる左右一対のガイドレール５を収納固定している。なお上記一対のガイドレール５の上下両端は連結片６を介して連結されている。
【００２１】
背もたれ部２内には、施療手段としての施療子７を前方に突出させて有する施療ユニット８が備えてある。この施療ユニット８は、施療子７を上下、左右、前後方向に駆動し、該施療子７に多様な軌跡を描かせて所望のマッサージ動作を行わせるものである。施療ユニット８の両側方には、正転或いは逆転駆動される上下ピニオン１０を備えており、この上下ピニオン１０がガイドレール５のラックとそれぞれ噛み合うことで、施療ユニット８がガイドレール５に沿って背もたれ部２内を上下方向（図２（ａ）中の矢印方向）に移動するようになっている。
【００２２】
施療ユニット８には、全面の開口した箱型を成すユニットカバー１２を後方から被せて固定してあり（図２（ｂ）、図４（ａ）等参照）、該ユニットカバー１２の上端面及び下端面には、それぞれユニット側係合部１３を設けてある。このユニット側係合部１３は、後に詳述するように背面カバー１５の内面に上下に跨って設けられるカバー側係合部１６が上下に摺動自在に係合するものであり、本例においては、左右一対のフック部１４により形成している。
【００２３】
そして、内部にガイドレール５や施療ユニット８を配した外枠カバー４の後端外周縁部には、布地を用いて屈曲自在とした背面カバー１５を固定させてある。これにより、背もたれ部２の背面側は背面カバー１５により全面が覆われる。即ち本例にあっては、上下面及び両側面を覆う硬質の外枠カバー４と、背面側を覆う屈曲自在な背面カバー１５とで背もたれ部２の外郭を形成し、この外郭内に施療ユニット８を上下動自在に配した構成である。
【００２４】
背面カバー１５は図３に示すようなものであり、背面カバー１５の内面の左右方向（幅方向）中央には、上下に長尺であり且つ屈曲自在なカバー側係合部１６を設けてある。本例のカバー側係合部１６は、上下方向を軸方向として伸びる帯状のガイド部１７から成り、同じく屈曲自在であり且つガイド部１７よりも幅狭に形成されたスペーサ１１を介して、背面カバー１５内面の上端部から下端部にかけて一繋がりに固定されている。
【００２５】
ここで、背もたれ部２の上下面及び両側面を囲む外枠カバー４は、内部に施療ユニット８を収納した状態で、外枠カバー４の後方開口面から施療ユニット８の後部が大きく突出するように設けている。施療ユニット８にあっては、この外枠カバー４からの後方突出部分の上下両端面に、左右一対のフック部１４をそれぞれ備えている（図２、図６等参照）。そして、この施療ユニット８の後方突出部分の上下両端面において、左右一対のフック部１４間に、背面カバー１５のガイド部１７を挿通させてある。
【００２６】
図３、図５等に示すように、施療ユニット８側の左右一対のフック部１４は、互いに接近する方向に向けて（即ち、外方から内方に向けて）屈曲するＬ字状の部材であり、その先端間の距離はガイド部１７の幅よりも充分に小さく設定してある。したがって、両側のフック部１４間にガイド部１７を上下動自在に挟むことで、図１に示すように、背面カバー１５の形状は施療ユニット８の後方突出部分の外形に沿うように屈曲し、且つ施療ユニット８が上下動すればその位置変更に伴って変形し、いずれの上下位置にあっても施療ユニット８の外形に沿うように屈曲する構造になっている。
【００２７】
更に本例にあっては、背面カバー１５を施療ユニット８側に向けて（即ち、前方に向けて）付勢する付勢手段として、背面カバー１５の両側部の内面にバネ部材１８を固定している（図３参照）。背面カバー１５の両側部は、互いに近づく方向に向けて（即ち、内方に向けて）略く字状に屈曲させて形成しており、この背面カバー１５の両側の屈曲箇所の内面に、断面く字状を成す上記バネ部材１８の内面側を取り付けている。
【００２８】
図７には、バネ部材１８の変形例を示している。この例のバネ部材１８は、厚さ１ｍｍ程度の２枚の板バネ１９の端部同士を、リベット２０を介して略く字状に接合させたものであり、背面カバー１５の両側の屈曲箇所の例えば上下端部内面に取り付けることが好適である。また上記バネ部材１８は、２枚の板バネ１９の自由端側を大きく離した伸張状態（図７（ａ）の下側の状態）で、施療ユニット８が外枠カバー４から後方に突出する高さと同程度になるように設定してある。上記伸張状態のバネ部材１８において折畳み状態に復帰しようと働く付勢力が、背面カバー１５を施療ユニット８側に向けて付勢する付勢力となるのである。
【００２９】
このような薄型且つ高強度のバネ部材１８を背面カバー１５の両側部に固定する構成とすれば、バネ部材１８の設置に要するスペースが少なくて済み、施療ユニット８の上下動に際して干渉することも防止される。また、このバネ部材１８が背面カバー１５の両側の保護壁としても機能し、使用者が不用意に施療ユニット８やガイドレール５等に触れることが防止されるため、安全である。
【００３０】
図８には、ユニット側係合部１３を成すＬ字状のフック部１４の変形例を示している。図示の如く、この例のフック部１４は、ガイド部１７と接することとなる先端側部分を、左右方向に伸びる回転軸Ｃを中心として上下に回動自在なローラ部材２１で形成している。このようにすれば、摩擦抵抗が少なくなって施療ユニット８の円滑な上下動が実現される他、ガイド部１７やフック部１４の耐久性向上や、上下移動時の動作音の低減等にも効果的である。
【００３１】
図９には、カバー側係合部１６を成す帯状のガイド部１７と、ユニット側係合部１３を成すフック部１４の先端側部分の互いの接触部分に、互いに逆の凹凸を有する凹凸形状を設けた変形例を示している。この例では、ガイド部１７の接触面側に凸部２２を設けるとともに、フック部１４の先端側部分の接触面側には上記凸部２２と逆の凹凸である凹部２３を設け、上記凸部２２と凹部２３とを摺動自在に嵌合させてある。このようにすれば、背面カバー１５に対して外部から強い力が働いた場合に該背面カバー１５が不用意に外れるといった事態が、更に確実に防止される。なお、カバー側係合部１６側とユニット側係合部１３側とで凹凸が逆になっても良いことは勿論である。
【００３２】
しかして、本発明の椅子式マッサージ機によれば、施療ユニット８の上下動に伴って、背面カバー１５の形状は施療ユニット８の後方突出部分の外形に沿うように変形する。これにより、背もたれ部２の施療ユニット８が位置しない部分の厚みを、外枠カバー４の厚みと略同一にすることができる。即ち、背もたれ部２の外観をシャープにし、且つ前後方向の厚みも極力薄く設けて椅子全体を小型化することが可能となる。更に本発明にあっては、両側のバネ部材１８により背面カバー１５は施療ユニット８側に付勢されるので、背面カバー１５の形状は施療ユニット８の上下動に素早く追従して変形し、加えて、背もたれ部２の施療ユニット８が位置しない部分は付勢力により安定した形状に保持されることとなる。
【図面の簡単な説明】
【００３３】
【図１】本発明の実施形態における一例の椅子式マッサージ機の側面図であり、（ａ）は施療ユニットが最も下に位置する場合、（ｂ）は施療ユニットが最も上に位置する場合を示している。
【図２】同上の椅子式マッサージ機の内部構造を示しており、（ａ）は椅子式マッサージ機全体の斜視図、（ｂ）は背もたれ部の分解斜視図である。
【図３】同上の椅子式マッサージ機の背面カバーを説明するものであり、（ａ）はマッサージ椅子の一部破断斜視図、（ｂ）は背面カバーの斜視図である。
【図４】同上の椅子式マッサージ機の施療ユニットを示しており、（ａ）は側面図、（ｂ）は背面図である。
【図５】同上の施療ユニットと背面カバーとの係合状態を説明するものであり、（ａ）は要部拡大図、（ｂ）は（ａ）の更に要部拡大図である。
【図６】同上の椅子式マッサージ機の背もたれ部の説明図であり、（ａ）は背もたれ部の側面視状態を示し、（ｂ）は左半部に（ａ）のＡ−Ａ線断面、右半部に（ａ）のＢ−Ｂ線断面を示している。
【図７】同上の椅子式マッサージ機の付勢手段の説明図であり、（ａ）は付勢力の働く様子、（ｂ）は付勢手段の取付状態、（ｃ）は付勢手段の構成部品を示している。
【図８】同上の椅子式マッサージ機のユニット側係合部の変形例を示し、（ａ）は側面図、（ｂ）は正面図である。
【図９】同上の椅子式マッサージ機のユニット側係合部及びカバー側係合部の変形例を示す説明図である。
【図１０】椅子式マッサージ機の従来例を示す側面図であり、（ａ）は背面カバーとして布地カバーを用いた場合、（ｂ）は背面カバーとして成形カバーを用いた場合を示している。
【符号の説明】
【００３４】
２  背もたれ部
８  施療ユニット
１３  ユニット側係合部
１４  フック部
１５  背面カバー
１６  カバー側係合部
１７  ガイド部
１８  バネ部材
２１  ローラ部材
２２  凸部
２３  凹部
【図１】
2008154877.tif 000003
【図２】
2008154877.tif 000004
【図３】
2008154877.tif 000005
【図４】
2008154877.tif 000006
【図５】
2008154877.tif 000007
【図６】
2008154877.tif 000008
【図７】
2008154877.tif 000009
【図８】
2008154877.tif 000010
【図９】
2008154877.tif 000011
【図１０】
2008154877.tif 000012